(57)【要約】【課題】杭頭部の軸線方向に相互に離間した下側突起部及び上側突起部を有する接合部材が杭頭部の外周面に取り付けられ、該下側突起部に螺子部が結合された補強筋の軸部に対し基礎コンクリート部が付着している杭頭接合部であって、補強筋の軸部の引っ張り降伏強さを考慮して許容曲げモーメントを算定可能な杭頭接合部を提供する。【解決手段】杭頭接合部は、杭頭部、複数の補強筋及び基礎コンクリート部を備える。補強筋の螺子部は下側突起部に結合され、補強筋の軸部は、杭頭部の軸線方向にて下側突起部と上側突起部との間を延びる第１部分と、杭頭部の端面から上方に突出して延在する第２部分とを有している。杭頭接合部は、基礎コンクリート部の内部に配置された少なくとも１つの仕切部材を更に備え、少なくとも１つの仕切部材は、補強筋の軸部の第１部分の側方に配置された仕切壁を有する。【選択図】  図１０
2018031206.tif 000002
【特許請求の範囲】
【請求項１】
杭頭部と、
前記杭頭部の外周面に固定された複数の接合部材と、
前記杭頭部に対し前記接合部材を介してそれぞれ取り付けられた複数の補強筋と、
前記杭頭部、前記複数の接合部材、及び、前記複数の補強筋を囲む、コンクリートによって構成された基礎コンクリート部と、を備える杭頭接合部において、
前記補強筋は、
表面に凹凸を有する軸部と、
前記軸部の一端側に連なり前記軸部よりも小さい断面積を有する螺子部と、を有し、
前記接合部材は、
前記杭頭部の外周面に固定された下側突起部と、
前記杭頭部の外周面に固定された上側突起部であって、前記杭頭部の軸線方向にて前記下側突起部の上方に配置された上側突起部と、を有し、
前記補強筋の螺子部は前記下側突起部に結合され、
前記補強筋の軸部は、前記杭頭部の軸線方向にて前記下側突起部と前記上側突起部との間を延びる第１部分と、前記杭頭部の端面から上方に突出して延在する第２部分とを有しており、
前記杭頭接合部は、前記基礎コンクリート部の内部に配置された少なくとも１つの仕切部材を更に備え、
前記少なくとも１つの仕切部材は、前記補強筋の軸部の第１部分の側方に配置された仕切壁を有する、
ことを特徴とする杭頭接合部。
【請求項２】
前記少なくとも１つの仕切部材は、前記接合部材に対応して設けられた複数の前記仕切部材によって構成され、
前記複数の仕切部材の各々の前記仕切壁は樋形状を有し、前記補強筋の軸部の第１部分を前記杭頭部の外周面とともに囲んでいる
ことを特徴とする請求項１に記載の杭頭接合部。
【請求項３】
前記仕切壁は、前記杭頭部を囲むように配置された周壁によって構成されていることを特徴とする請求項１に記載の杭頭接合部。
【請求項４】
前記仕切部材は、前記周壁の上端に連なり、前記杭頭部の端面に沿って配置される環状板を更に有し、
前記環状板は、前記補強筋が挿通される複数の開口を有する
ことを特徴とする請求項３に記載の杭頭接合部。
【発明の詳細な説明】
【技術分野】
【０００１】
本開示は、杭頭接合部に関する。
【背景技術】
【０００２】
上部構造を支持する杭基礎は、一般的に、複数の杭と、杭の上端部（杭頭部）を囲むように設けられるパイルキャップやフーチングのような基礎コンクリート部とを有している。杭頭部と基礎コンクリート部との接続を強化するために、例えば、特許文献１が開示するように、接合部材及び補強筋が用いられる。杭頭部、接合部材、補強筋及び基礎コンクリート部は、杭頭接合部を構成する。
【０００３】
より詳しくは、特許文献１が開示する杭頭接合部では、杭頭部の外周面に複数の接合部材が周方向に間隔をあけて取り付けられる。接合部材は、杭頭部の軸線方向に相互に離間した下板部及び上板部を有し、接合部材の下板部に補強筋の螺子部が結合される。補強筋の軸部は接合部材の上板部の挿通部を通過して延び、杭頭部の端面から上方に突出している。
特許文献１が開示する杭頭接合部では、基礎コンクリート部が上板部を上方へ押し上げ力にて押すことにより、補強筋に螺子部が螺子加工によって形成されていても、杭頭部と基礎コンクリート部の接合を効果的に補強することができる。
【先行技術文献】
【特許文献】
【０００４】
【特許文献１】特開２０１５−３４４５８号公報
【発明の概要】
【発明が解決しようとする課題】
【０００５】
本発明者等が検討したところ、特許文献１が開示する杭頭接合部においては、基礎コンクリート部のひび割れの有無や、接合部材の上板部の降伏の有無に応じて、杭頭接合部の許容曲げモーメントを場合分けして算定する必要があることが判明した。このような場合分けの必要性について、特許文献１には何ら記載はない。
杭頭接合部の設計にあたり、許容曲げモーメントの算定が必須であるが、許容曲げモーメントを場合分けして算定することは、設計者にとって煩雑である。
また、本発明者等の検討により、場合によっては、許容曲げモーメントの算定にあたって、補強筋の軸部の引っ張り降伏強さではなく、補強筋の螺子部の引っ張り降伏強さを考慮する必要があることがわかった。補強筋の螺子部の引っ張り降伏強さは軸部の引っ張り降伏強さよりも小さい。このため、杭頭接合部は、ひび割れの有無等によらず、補強筋の軸部の引っ張り降伏強さを考慮して許容曲げモーメントを算定可能な構造を有することが望ましい。
【０００６】
上述の事情に鑑みて、本発明の少なくとも一実施形態の目的は、杭頭部の軸線方向に相互に離間した下側突起部及び上側突起部を有する接合部材が杭頭部の外周面に取り付けられ、該下側突起部に螺子部が結合された補強筋の軸部に対し基礎コンクリート部が付着している杭頭接合部であって、補強筋の軸部の引っ張り降伏強さを考慮して許容曲げモーメントを算定可能な杭頭接合部を提供することにある。
【課題を解決するための手段】
【０００７】
（１）本発明の少なくとも一実施形態に係る杭頭接合部は、
杭頭部と、
前記杭頭部の外周面に固定された複数の接合部材と、
前記杭頭部に対し前記接合部材を介してそれぞれ取り付けられた複数の補強筋と、
前記杭頭部、前記複数の接合部材、及び、前記複数の補強筋を囲む、コンクリートによって構成された基礎コンクリート部と、を備える杭頭接合部において、
前記補強筋は、
表面に凹凸を有する軸部と、
前記軸部の一端側に連なり前記軸部よりも小さい断面積を有する螺子部と、を有し、
前記接合部材は、
前記杭頭部の外周面に固定された下側突起部と、
前記杭頭部の外周面に固定された上側突起部であって、前記杭頭部の軸線方向にて前記下側突起部の上方に配置された上側突起部と、を有し、
前記補強筋の螺子部は前記下側突起部に結合され、
前記補強筋の軸部は、前記杭頭部の軸線方向にて前記下側突起部と前記上側突起部との間を延びる第１部分と、前記杭頭部の端面から上方に突出して延在する第２部分とを有しており、
前記杭頭接合部は、前記基礎コンクリート部の内部に配置された少なくとも１つの仕切部材を更に備え、
前記少なくとも１つの仕切部材は、前記補強筋の軸部の第１部分の側方に配置された仕切壁を有する。
【０００８】
上記構成（１）によれば、接合部材の上側突起部と下側突起部との間を延びる補強筋の軸部の第１部分の側方に仕切壁が配置されており、軸部の第１部分の側方にて、基礎コンクリート部を仕切ることができる。このように基礎コンクリート部を仕切ることによって、補強筋の径方向にて、軸部の第１部分に付着した基礎コンクリート部の部分（付着部分）と、仕切壁の外側の基礎コンクリート部の部分（遠位部分）との間の接続が遮断される。これにより、杭頭接合部に曲げモーメントが作用したときに、基礎コンクリート部の付着部分が、遠位部分に対し相対変位し易く、付着部分から上側突起部に作用する力（付着による抵抗力）が発生する。この結果として、許容曲げモーメントの算定の際、補強筋の軸部の引っ張り降伏強度を考慮することが可能となり、許容曲げモーメントを容易に算定することが可能となる。
【０００９】
（２）幾つかの実施形態では、上記構成（１）において、
前記少なくとも１つの仕切部材は、前記接合部材に対応して設けられた複数の前記仕切部材によって構成され、
前記複数の仕切部材の各々の前記仕切壁は樋形状を有し、前記補強筋の軸部の第１部分を前記杭頭部の外周面とともに囲んでいる。
【００１０】
上記構成（２）によれば、樋形状を有する仕切壁及び杭頭部の外周面によって、対応する１つの軸部の第１部分を囲むことで、１つの第１部分の周方向全域に渡って、基礎コンクリート部の付着部分と、基礎コンクリート部の遠位部分との間の接続が遮断される。これにより、杭頭接合部に曲げモーメントが作用したときに、基礎コンクリート部の付着部分が、遠位部分に対し確実に相対変位し易くなる。
【００１１】
（３）幾つかの実施形態では、上記構成（１）において、
前記仕切壁は、前記杭頭部を囲むように配置された周壁によって構成されている。
【００１２】
上記構成（３）によれば、杭頭部を囲むように配置された周壁によって、補強筋の径方向にて、基礎コンクリート部の付着部分と、基礎コンクリート部の遠位部分との間の接続を簡単な構成で遮断することができる。
【００１３】
（４）幾つかの実施形態では、上記構成（３）において、
前記仕切部材は、前記周壁の上端に連なり、前記杭頭部の端面に沿って配置される環状板を更に有し、
前記環状板は、前記補強筋が挿通される複数の開口を有する。
【００１４】
上記構成（４）によれば、環状板を杭頭部の端面上に配置することで、仕切壁を容易に配置することができる。
【発明の効果】
【００１５】
本発明の少なくとも一実施形態によれば、杭頭部の軸線方向に相互に離間した下側突起部及び上側突起部を有する接合部材が杭頭部の外周面に取り付けられ、該下側突起部に螺子部が結合された補強筋の軸部に対し基礎コンクリート部が付着している杭頭接合部であって、補強筋の軸部の引っ張り降伏強さを考慮して許容曲げモーメントを算定可能な杭頭接合部が提供される。
【図面の簡単な説明】
【００１６】
【図１】構造体の概略的な構成を示す図である。
【図２】杭頭接合部を説明するための図である。
【図３】図２中の杭頭部、接合部材、補強筋及び定着体を概略的に示す図であり、左半分は側面図、右半分は断面図である。
【図４】杭頭部、接合部材及び補強筋の一部を概略的に示す断面図である。
【図５】接合部材を概略的に示す図であり、（ａ）は正面図、（ｂ）は側面図、（ｃ）は上面図、そして、（ｄ）は下面図である。
【図６】補強筋を概略的に示す側面図である。
【図７】仕切部材を概略的に示す図であり、（ａ）は正面図、（ｂ）は側面図、そして、（ｃ）は上面図である。
【図８】杭頭部、接合部材及び仕切部材を概略的に示す上面図である。
【図９】図８の一部を拡大して示す図である。
【図１０】仕切部材の作用効果を説明するための図である。
【図１１】第２実施形態に係る杭頭接合部の杭頭部、接合部材、補強筋、及び、仕切部材の一部を概略的に示す断面図である。
【図１２】仕切部材の構成を概略的に示す図であり、（ａ）は正面図、（ｂ）は側面図、そして、（ｃ）は下面図である。
【図１３】第３実施形態に係る杭頭接合部の杭頭部、接合部材、補強筋、及び、仕切部材を概略的に示す図であり、左半分は側面図、右半分は断面図である。
【図１４】杭頭部、接合部材及び仕切部材を概略的に示す上面図である。
【図１５】仕切部材の概略的な構成を示す図であって、（ａ）は上面図であり、（ｂ）は縦断面図である。
【図１６】仕切部材の変形例の概略的な構成を示す図であって、（ａ）は上面図であり、（ｂ）は縦断面図である。
【図１７】仕切部材の変形例の概略的な構成を示す図であって、（ａ）は上面図であり、（ｂ）は縦断面図である。
【発明を実施するための形態】
【００１７】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００１８】
〔第１実施形態〕
以下、本発明の第１実施形態に係る杭頭接合部１０ａについて説明する。
図１は、構造体１の概略的な構成を示す図である。構造体１は、複数の杭２と、複数の杭２の杭頭部の各々に接合されたパイルキャップ４ａと、パイルキャップ４ａ同士を連結する梁５と、パイルキャップ４ａを介して杭２によって支持された上部構造６と有する。杭２、パイルキャップ４ａ及び梁５は、上部構造６を支持するための杭基礎８を構成している。
なお、杭基礎８は、パイルキャップ４ａに代えて、フーチングを有していてもよい。以下では、パイルキャップ４ａやフーチングを基礎コンクリート部４とも称する。
【００１９】
図２は、杭頭接合部１０ａを説明するための図である。図３は、図２中の杭頭部、接合部材、補強筋（定着筋）及び定着体を概略的に示す図であり、左半分は側面図、右半分は断面図である。図４は、杭頭部、接合部材及び補強筋の一部を概略的に示す断面図である。図５は、接合部材を概略的に示す図であり、（ａ）は正面図、（ｂ）は側面図、（ｃ）は上面図、そして、（ｄ）は下面図である。図６は、補強筋を概略的に示す側面図である。図７は、仕切部材を概略的に示す図であり、（ａ）は正面図、（ｂ）は側面図、そして、（ｃ）は上面図である。図８は、杭頭部、接合部材及び仕切部材を概略的に示す上面図である。図９は、図８の一部を拡大して示す図である。
【００２０】
図１〜図９に示したように、杭頭接合部１０ａは、杭２の上端部（杭頭部）１２と、複数の接合部材１４と、複数の補強筋１５と、複数の仕切部材１６ａと、基礎コンクリート部４とを備えている。
杭２は、場所打ち杭であっても既製杭であってもよい。ただし、円筒形状の杭頭部１２の外周面には、接合部材１４が溶接によって固定される。このため、場所打ち杭の場合には、杭２は鋼管コンクリート杭である。また、既製杭の場合には、杭２は、鋼管杭（ＳＰＰ杭）若しくは外殻鋼管付きコンクリート杭（ＳＣ杭）であるか、又は、上端部に鋼製の補強バンドが取り付けられているコンクリート杭、例えば、鉄筋コンクリート杭（ＲＣ杭）、プレストレストコンクリート杭（ＰＣ杭，ＰＲＣ杭）、若しくは、高強度プレストレストコンクリート杭（ＰＨＣ杭）等である。
本実施形態では、杭２は、ＳＣ杭であり、コンクリートによって構成された円筒形状のコンクリート部１７と、コンクリート部１７の両端を覆う金属製の端板１８と、コンクリート部１７の外周面を覆う外殻鋼管１９とを有する。端板１８は環形状を有し、外殻鋼管１９に対して溶接されている。
【００２１】
複数の接合部材（ジョイントカプラ）１４は、金属製であり、杭頭部１２の周方向に間隔をおいて、杭頭部１２の外周面に溶接によって固定されている。
複数の補強筋１５は、金属製であり、杭頭部１２に対し接合部材１４を介してそれぞれ取り付けられている。
本実施形態では、杭頭接合部１０ａは、接合部材１４に対応して複数の仕切部材１６ａを有する。仕切部材１６ａは例えば金属製である。
【００２２】
基礎コンクリート部４は、コンクリートによって構成され、杭頭部１２、複数の接合部材１４、複数の仕切部材１６ａ及び、複数の補強筋１５を囲んでいる。
なお図示しないけれども、基礎コンクリート部４内には、割裂防止筋や、梁５の主筋等が配置されていてもよい。
【００２３】
ここで、補強筋１５は、表面に凹凸を有する軸部２０と、軸部２０の一端側に連なり軸部２０よりも小さい断面積を有する螺子部２１と、を有する。なお、補強筋１５は、軸部２０の両側に螺子部２１を有していてもよい。この場合、補強筋１５の上端側の螺子部２１に定着体２２としてのナットが螺合されていてもよい。
例えば、補強筋１５として、図６に示したような異形鉄筋を用いることができる。
【００２４】
接合部材１４は、下側突起部２３と上側突起部２４とを有する。下側突起部２３及び上側突起部２４は、杭頭部１２の外周面に溶接によって固定され、杭頭部１２の外周面から側方に突出している。そして、上側突起部２４は、杭頭部１２の軸線方向にて下側突起部２３の上方に配置されている。例えば、杭頭部１２の軸線方向にて、上側突起部２４の上面の位置が、杭頭部１２の上端面の位置に一致するように、接合部材１４は杭頭部１２の外周面に溶接される。
【００２５】
補強筋１５の螺子部２１は下側突起部２３に結合されている。例えば、図５に示したように、下側突起部２３に螺子孔２６が形成され、螺子部２１は螺子孔２６に螺合される。或いは、図示しないけれども、下側突起部２３には貫通孔が形成され、下側突起部２３の下側に、貫通孔と同軸にてナットが溶接される。この場合、ナットを下側突起部２３の一部と見なすことができ、ナットに螺子部２１を螺合することにより、下側突起部２３に螺子部２１が螺合されていると見なすことができる。
【００２６】
補強筋１５の軸部２０は、杭頭部１２の軸線方向にて下側突起部２３と上側突起部２４との間を延びるとともに、上側突起部２４及び杭頭部１２の端面から上方に突出して延在している。
従って、上側突起部２４は、補強筋１５の通過を許容するような形状を有している。一方で、上側突起部２４は、下側突起部２３と上側突起部２４との間を延びる補強筋１５の軸部２０の部分に付着した基礎コンクリート部４の部分と、杭頭部１２の軸線方向にて係合するように構成されている。
【００２７】
例えば、図５に示したように、上側突起部２４は、補強筋１５の通過を許容する切り欠き２８が形成されたフォーク部２９を有し、フォーク部２９は、軸部２０に付着したコンクリート部４の一部と杭頭部１２の軸線方向にて係合するように構成されている。
なお以下では、補強筋１５の軸部２０のうち、上側突起部２４の上端面と下側突起部２３との間を延びる部分を第１部分２０ａとも称し、上側突起部２４の上端面よりも上方の部分を第２部分２０ｂとも称する。
【００２８】
好ましくは、接合部材１４は、下側突起部２３及び上側突起部２４と一体に形成された連結部３０と、２つの補強ビーム部３２と、２つの補強リブ部３４とを更に有する。
連結部３０は、杭頭部１２の軸線方向及び周方向に延びる板形状を有し、下側突起部２３と上側突起部２４を相互に連結している。連結部３０は、杭頭部１２側に、杭頭部１２の外周面に沿って配置可能な湾曲面３５を有する。
【００２９】
補強ビーム部３２は、杭頭部１２の軸線方向に延び、角柱形状を有している。補強ビーム部３２は、杭頭部１２の周方向にて連結部３０の両側に一体に形成されている。補強ビーム部３２は、下側突起部２３と上側突起部２４との間を延びている。
補強リブ部３４は、補強ビーム部３２と下側突起部２３との間に形成される隅に一体に形成されている。
【００３０】
好ましくは、図９に示したように、杭頭部１２の周方向にて連結部３０の両側が、杭頭部１２の外周面に溶接される。そのために、杭頭部１２の周方向にて連結部３０の両側には、杭頭部１２の外周面に対し傾斜した開先面３６が設けられ、開先面３６と杭頭部１２の外周面との間に溶接ビード３８が形成される。好ましくは、開先面３６及び溶接ビード３８は、杭頭部１２の軸線方向にて、下側突起部２３から上側突起部２４まで延びている。
なお、接合部材１４の形状は上述したものに限定されることはなく、例えば、特開２０１５−３４４５８号公報に記載された接合部材を用いることができる。
【００３１】
仕切部材１６ａは、図７に示したように樋形状（溝形状）を有し、例えばＵ字形状の断面形状を有する。仕切部材１６ａは、一対の長方形の側壁（第１側壁）４０と、第１側壁４０同士を相互に繋ぐ半円筒形状の側壁（第２側壁）４２とを有する。第１側壁４０は、杭頭部１２の周方向にて対応する接合部材１４の両側に配置され、接合部材１４を間に挟んで相互に平行に配置される。第１側壁４０の側縁が杭頭部１２の外周面に溶接、例えばスポット溶接や点付け溶接、されることによって、仕切部材１６ａは杭頭部１２に固定される。第２側壁４２は、接合部材１４を間に挟んで杭頭部１２の外周面と対向して配置される。
【００３２】
第１側壁４０及び第２側壁４２は、接合部材１４及び軸部２０の第１部分２０ａから側方に離れて配置されており、仕切部材１６ａの内側、即ち、第１側壁４０及び第２側壁４２と第１部分２０ａとの間には空間が存在する。当該空間には基礎コンクリート部４を構成するコンクリートが充填される。
【００３３】
好ましくは、仕切部材１６ａの下端部は斜めに切り欠かれている。これにより、仕切部材１６ａの下端部の開口面積が拡大され、コンクリートが仕切部材１６ａの内側に充填され易い。
なお、仕切部材１６ａの内側の空間が狭く、コンクリートが充填され難い場合には、基礎コンクリート部４のコンクリートの打設の前に、モルタルやグラウト等の硬化性材料を仕切部材１６ａの内側に充填してもよい。この場合、便宜上、仕切部材１６ａの内側に充填された硬化性材料も、基礎コンクリート部４の一部であると見なす。
【００３４】
上述した第１実施形態に係る杭頭接合部１０ａによれば、１つの仕切部材１６ａが、対応する１つの補強筋１５の軸部２０の第１部分２０ａの側方に配置される１つの仕切壁４４を構成しており、軸部２０の第１部分２０ａの側方にて、基礎コンクリート部４を補強筋１５の径方向にて内側と外側とに仕切ることができる。このように基礎コンクリート部４を仕切ることによって、図１０に示したように、補強筋１５の径方向にて、軸部２０の第１部分２０ａに付着した基礎コンクリート部４の部分（付着部分（近位部分））４６と、仕切壁４４の外側の基礎コンクリート部４の部分（遠位部分）４８との間の接続が遮断される。これにより、杭頭接合部１０ａに曲げモーメントが作用したときに、基礎コンクリート部４の付着部分４６が、遠位部分４８に対し相対変位し易く、図１０に示したように、付着部分４６から上側突起部２４に作用する力（付着による抵抗力）Ｆｓｂが発生する。
【００３５】
これにより、許容曲げモーメントの算定に際し、螺子部２１の引っ張り降伏強度Ｔｓｙに加えて、抵抗力Ｆｓｂを考慮することができるようになるが、通常、Ｔｂｙ≦Ｔｓｙ＋Ｆｓｂで示される関係が成立する。この結果として、許容曲げモーメントの算定の際、基礎コンクリート部４におけるひび割れ発生の有無にかかわらずに、補強筋１５の軸部２０の引っ張り降伏強度Ｔｂｙを考慮することが可能となり、許容曲げモーメントを容易に算定することが可能となる。
【００３６】
なお、仕切部材１６ａが設けられておらず、付着部分４６と遠位部分４８との間の接続が絶たれていない状態で曲げモーメントが発生したとき、付着部分４６と遠位部分４８が一体に変位するため、抵抗力Ｆｓｂの発生を期待することはできない。このため、許容曲げモーメントの算定に際して、螺子部２１の引っ張り降伏強度Ｔｓｙを考慮する必要がある。ここで問題となるのは、仕切部材１６ａが設けられていなくても、基礎コンクリート部４にひび割れが発生することにより、偶発的に、付着部分４６と遠位部分４８との間の接続が絶たれる可能性があることである。もし、ひび割れにより接続が絶たれることも考慮に入れる場合、軸部２０の引っ張り降伏強度Ｔｂｙを考慮する必要があり、設計者にとって、許容曲げモーメントの算定が煩雑となる。
なお、便宜上、図１０中では、基礎コンクリート部４のハッチングを省略している。
【００３７】
また、上述した第１実施形態に係る杭頭接合部１０ａによれば、樋形状を有する仕切部材１６ａ（仕切壁４４）及び杭頭部１２の外周面によって、対応する１つの軸部２０の第１部分２０ａを個別に囲むことで、１つの第１部分２０ａの周方向全域に渡って、基礎コンクリート部４の付着部分４６と、基礎コンクリート部４の遠位部分４８との間の接続が遮断される。これにより、杭頭接合部１０ａに曲げモーメントが作用したときに、基礎コンクリート部４の付着部分４６が、遠位部分４８に対し確実に相対変位し易くなる。
【００３８】
〔第２実施形態〕
以下、第２実施形態に係る杭頭接合部１０ｂについて説明する。なお、以下の実施形態の説明では、上述した実施形態と異なる点を中心に説明し、同一又は類似の構成については、同一の符号を用いて説明を省略又は簡略化する。
【００３９】
図１１は、第２実施形態に係る杭頭接合部１０ｂの杭頭部１２、接合部材１４、補強筋１５、及び、仕切部材１６ｂの一部を概略的に示す断面図である。図１２は、仕切部材１６ｂの構成を概略的に示す図であり、（ａ）は正面図、（ｂ）は側面図、そして、（ｃ）は下面図である。
仕切部材１６ｂは、第１側壁４０及び第２側壁４２と一体の底壁５０を有し、底壁５０は、下方から接合部材１４の下側突起部２３に当接可能である。そして、底壁５０には、Ｕ字形の切欠き５２が形成され、切欠き５２を通じて、螺子部２１が底壁５０よりも下方に突出可能である。螺子部２１にはナット５４が螺合され、ナット５４と下側突起部２３によって、底壁５０が挟まれる。これにより、第１側壁４０を杭頭部１２の外周面に溶接しなくても、仕切部材１６ｂを固定することができる。
【００４０】
〔第３実施形態〕
以下、第３実施形態に係る杭頭接合部１０ｃについて説明する。
図１３は、第３実施形態に係る杭頭接合部１０ｃの杭頭部１２、接合部材１４、補強筋１５、及び、仕切部材１６ｃを概略的に示す図であり、左半分は側面図、右半分は断面図である。図１４は、杭頭部１２、接合部材１４及び仕切部材１６ｃを概略的に示す上面図である。図１５は、仕切部材１６ｃの概略的な構成を示す図であって、（ａ）は上面図であり、（ｂ）は縦断面図である。
【００４１】
図１３〜図１５に示したように、仕切部材１６ｃは、円筒形状の周壁５６を有しおり、周壁５６は、所定の空間を存して、杭頭部１２を囲むように配置されている。そして、周壁５６は、複数の接合部材１４及び複数の補強筋１５の第１部分２０ａを一括して囲むように配置されており、複数の接合部材１４及び複数の補強筋１５の第１部分２０ａの側方に配置された１つの仕切壁５８を構成している。
【００４２】
上述した第３実施形態に係る杭頭接合部１０ｃによれば、杭頭部１２を囲むように配置された周壁５６によって、補強筋１５の径方向にて、基礎コンクリート部４の付着部分４６と、基礎コンクリート部４の遠位部分４８との間の接続を簡単な構成で遮断することができる。
【００４３】
好ましくは、図１４及び図１５に示したように、
仕切部材１６ｃは、周壁５６の上端に連なり、杭頭部１２の端面に沿って配置される環状板６０を有している。環状板６０は、補強筋１５が挿通される複数の開口６２を有する。
上記構成によれば、環状板６０を杭頭部１２の端面上に配置することで、仕切壁５８を容易に配置することができる。なお、例えば、環状板６０をボルト（不図示）によって杭頭部１２に固定することによって、仕切部材１６ｃを杭頭部１２に対し容易に固定することができる。
【００４４】
また、好ましくは、図１６に示したように、仕切部材１６ｃは、杭頭部１２の外周面と周壁５８との間の空間を、杭頭部１２の周方向にて複数の領域に区画する複数の区画壁６４を更に有している。
上記構成によれば、区画壁６４によって、各軸部２０の第１部分２０ａに付着している付着部分４６同士の接続が杭頭部１２の周方向にて絶たれることで、遠位部分４８に対し付着部分４６が容易に変位することができる。
なお、周壁５６の形状は円筒形状に限定されることはなく、図１７に示したように、仕切部材１６ｃは、円錐台形状の周壁６６を有していてもよい。
【００４５】
最後に、本発明は上述した実施形態に限定されることはなく、上述した実施形態に変形を加えた形態や、これらの形態を適宜組み合わせた形態も含む。
例えば、接合部材１４の上側突起部２４の形状は特に限定されることはなく、丸棒形状や、複数の突起が杭頭部１２の軸線方向に配列されたものであってもよい。
【符号の説明】
【００４６】
１        構造体
２        杭
４        基礎コンクリート部
４ａ      パイルキャップ
５        梁
６        上部構造
８        杭基礎
１０ａ，１０ｂ      杭頭接合部
１２      杭頭部
１４      接合部材（ジョイントカプラ）
１５      補強筋
１６ａ，１６ｂ，１６ｃ      仕切部材
１７      コンクリート部
１８      端板
１９      外殻鋼管
２０      軸部
２０ａ    第１部分
２０ｂ    第２部分
２１      螺子部
２２      定着体
２３      下側突起部
２４      上側突起部
２６      螺子孔
２８      切り欠き
２９      フォーク部
３０      連結部
３２      補強ビーム部
３４      補強リブ部
３５      湾曲面
３６      開先面
３８      溶接ビード
４０      側壁（第１側壁）
４２      側壁（第２側壁）
４４      仕切壁
４６      付着部分（近位部分）
４８      遠位部分
５０      底壁
５２      切欠き
５４      ナット
５６      周壁
５８      仕切壁
６０      環状板
６２      開口
６４      区画壁
６６      周壁
【図１】
2018031206.tif 000003
【図２】
2018031206.tif 000004
【図３】
2018031206.tif 000005
【図４】
2018031206.tif 000006
【図５】
2018031206.tif 000007
【図６】
2018031206.tif 000008
【図７】
2018031206.tif 000009
【図８】
2018031206.tif 000010
【図９】
2018031206.tif 000011
【図１０】
2018031206.tif 000012
【図１１】
2018031206.tif 000013
【図１２】
2018031206.tif 000014
【図１３】
2018031206.tif 000015
【図１４】
2018031206.tif 000016
【図１５】
2018031206.tif 000017
【図１６】
2018031206.tif 000018
【図１７】
2018031206.tif 000019